(57)【要約】【課題】戸体の傾きを抑制することが可能な戸車等を提供する。【解決手段】レールに沿って移動する戸体を支持し前記レールに案内されつつ転動する車輪と、前記車輪を転動自在に支持するフレームと、前記フレームに設けられ、前記戸体が移動する移動方向と交差する屋内外方向における一方側に前記戸体が傾いたときに、前記レールに前記一方側から当接される当接部と、を有することを特徴とする戸車。【選択図】図５
2019157567.tif 000002
【特許請求の範囲】
【請求項１】
レールに沿って移動する戸体を支持し前記レールに案内されつつ転動する車輪と、
前記車輪を転動自在に支持するフレームと、
前記フレームに設けられ、前記戸体が移動する移動方向と交差する屋内外方向における一方側に前記戸体が傾いたときに、前記レールに前記一方側から当接される当接部と、
を有することを特徴とする戸車。
【請求項２】
請求項１に記載の戸車であって、
前記当接部は前記レールに当接して転動するローラーであることを特徴とする戸車。
【請求項３】
請求項１または請求項２に記載の戸車であって、
前記当接部は、前記移動方向において前記車輪を挟んで前記移動方向の両側に設けられていることを特徴とする戸車。
【請求項４】
請求項１乃至請求項３のいずれかに記載の戸車であって、
前記フレームは、前記車輪を支持するフレーム本体と、
前記フレーム本体に取り付けられ、前記当接部が設けられている補強部材と、を有しており、
前記フレームから前記補強部材が取り外された前記フレーム本体に前記車輪が支持された状態で、前記戸体を支持しつつ前記レールに沿って移動可能であることを特徴とする戸車。
【請求項５】
請求項１乃至請求項４のいずれかに記載の戸車を備えたことを特徴とする戸体。
【請求項６】
請求項５に記載の戸体と、
前記レールを備えた枠体と、を有することを特徴とする建具。
【発明の詳細な説明】
【技術分野】
【０００１】
本発明は、戸車、戸体及び建具に関する。
【背景技術】
【０００２】
従来から、網戸などの戸体を支持しつつ下枠に設けられたレール（トッラック）に沿って移動させるために、当該戸体の下部に取り付けられる戸車は知られている（例えば、特許文献１参照）。
【先行技術文献】
【特許文献】
【０００３】
【特許文献１】特開平２０１７−１９０６１７号公報
【発明の概要】
【発明が解決しようとする課題】
【０００４】
上記のように、戸車に支持されてレールに沿って移動する戸体の中には、戸体の重心の位置が、レールの鉛直上から屋内外方向における一方側に外れて位置しているものがある。このように、戸体の重心がレールの鉛直上から外れていると、戸体が傾き、例えば、戸車の車輪以外の部位がレールや下枠に接触することにより、戸体の開閉時の負荷が増大し、操作性が悪く、また異常音が発生する虞があるという課題がある。
【０００５】
本発明は、かかる課題に鑑みてなされたものであり、その目的とするところは、戸体の傾きを抑制することが可能な戸車、戸体及び建具を提供することにある。
【課題を解決するための手段】
【０００６】
かかる目的を達成するために本発明の戸車はレールに沿って移動する戸体を支持し前記レールに案内されつつ転動する車輪と、前記車輪を転動自在に支持するフレームと、前記フレームに設けられ、前記戸体が移動する移動方向と交差する屋内外方向における一方側に前記戸体が傾いたときに、前記レールに前記一方側から当接される当接部と、を有することを特徴とする戸車である。
【０００７】
このような戸車によれば、戸体が屋内外方向における一方側に傾いたときには、フレームに設けられている当接部が、戸体を支持している車輪の下に位置するレールに、屋内外方向における一方側から当接されるので、戸体の傾きを抑制することが可能である。
【０００８】
かかる戸車であって、前記当接部は前記レールに当接して転動するローラーであることを特徴とする。
このような戸車によれば、戸体が屋内外方向における一方側に傾いたときに当接されるのは、転動するローラーなので、レールに当接した状態で戸体が移動したとしても負荷を小さく抑えることが可能である。
【０００９】
かかる戸車であって、前記当接部は前記移動方向において前記車輪を挟んで前記移動方向の両側に設けられていることを特徴とする。
このような戸車によれば、当接部が移動方向において車輪を挟んで両側に設けられているので、戸体が屋内外方向における一方側に傾く場合であっても、戸体がレールと交差するようには傾かない。このため、戸体が屋内外方向における一方側に傾いたとしても整然と戸体を移動させることが可能である。
【００１０】
かかる戸車であって、前記フレームは、前記車輪を支持するフレーム本体と、前記フレーム本体に取り付けられ、前記当接部が設けられている補強部材と、を有しており、前記フレームから前記補強部材が取り外された前記フレーム本体に前記車輪が支持された状態で、前記戸体を支持しつつ前記レールに沿って移動可能であることを特徴とする。
【００１１】
このような戸車によれば、フレームから補強部材が取り外された状態であっても戸体を支持しつつ、当該戸体をレールに沿って移動させることができるので、戸体が傾く虞がない場合には、補強部材を取り外した状態で使用することが可能である。また、補強部材を取り外した戸車が取り付けられている戸体が傾斜する場合には、補強部材を取り付けることにより当接部を備えることができるので、戸体が傾斜することを抑制することが可能である。
【００１２】
また、上記戸車を備えたことを特徴とする戸体である。
このような戸体によれば、重心から外れた位置にて支持される場合であっても傾きを抑制することが可能である。
【００１３】
また、上記戸体と、前記レールを備えた枠体と、を有することを特徴とする建具である。
このような建具によれば、戸体が重心から外れた位置にて支持される場合であっても、戸体の傾きを抑制しつつ移動可能な建具を提供することが可能である。
【発明の効果】
【００１４】
本発明によれば、戸体の傾きを抑制することが可能な戸車、戸体及び建具を提供することが可能である。
【図面の簡単な説明】
【００１５】
【図１】本実施形態に係る網戸を示す正面図である。
【図２】本実施形態に係る建具の下端部を示す縦断面図である。
【図３】本実施形態に係る戸車を示す斜視図である。
【図４】図１におけるＡ部の断面図である。
【図５】網戸が傾いたときの戸車の状態を示す図である。
【図６】戸車の変形例を示す正面図である。
【発明を実施するための形態】
【００１６】
以下、本発明の一実施形態に係る戸車１、この戸車１を備えた戸体としての網戸２、及び、この網戸を有する建具３について図面を参照して説明する。
【００１７】
本実施形態の建具３は、図１、図２に示すように建物等に設けられた枠体４に移動自在に支持されるガラス戸５と、ガラス戸５の屋外側に設けられ移動自在に支持される網戸２と、を備えた引き違い窓用の建具３である。
【００１８】
以下の説明においては、建物等に支持されている状態の建具３を屋外側から見たときに、上下となる方向を上下方向、左右となり網戸２が有する下框２１の長手方向を左右方向、左右方向と直交する奥行き方向を屋内外方向として示す。建具３の各部位であっても、また、建具３を構成する各部材については単体の状態であっても、建物等に取り付けられた状態にて上下方向、左右方向、奥行き方向となる方向にて方向を特定して説明する。
【００１９】
枠体４に装着された網戸２は、網材２ａを囲む矩形状の框体２０を有しており、框体２０を構成し、網材２ａの下に位置する下框２１の、左右方向における両端部側にそれぞれ戸車１が設けられている。
【００２０】
図２に示すように、建物等に設けられた枠体４を構成する下枠４０は、最も屋外側に、鉛直方向沿って上方に延びるヒレ状の網戸レール４１を有しており、網戸２は戸車１が網戸レール４１に支持されて、左右方向に移動可能に設けられている。
【００２１】
下框２１は、屋外側に設けられて網材２ａの下端を保持する保持部２２ａを有する框屋外部２２と、框屋外部２２の屋内側に左右方向に沿って設けられ下方が開放されて上方に窪む溝状をなす屋内溝部２３とを有している。屋内溝部２３は、框屋外部２２が有する左右方向に貫通する中空部２２ｂを形成し、中空部２２ｂの屋内側に位置する屋内壁部２２ｃと、屋内壁部２２ｃの屋内側に、屋内外方向に間隔を空けて対向する対向壁部２３ａと、框屋外部２２から繋がって屋内壁部２２ｃと対向壁部２３ａとの上端を繋ぐ上端連結部２３ｂと、により形成されている。
【００２２】
戸車１は、屋内溝部２３内に設けられて上端連結部２３ｂに固定されている。すなわち、戸車１は、網材２ａと框体２０において網材２ａを囲む部位よりも屋内側に設けられている。このため、屋内溝部２３内に下方から挿入された網戸レール４１に支持された網戸２は、重心Ｇが網戸レール４１の鉛直上よりも屋外側に位置している。
図３、図４に示すように、戸車１は、網戸レール４１上にて転動し網戸２を支持する車輪１０と、車輪１０を支持するフレーム１１と、を有している。
【００２３】
フレーム１１は、車輪１０を支持する車輪支持フレーム１２と、車輪支持フレーム１２を揺動自在に支持し下框２１に固定される固定フレーム１３と、固定フレーム１３の屋外側に固定される補強部材１４と、を有している。
【００２４】
固定フレーム１３は、下框２１の上端連結部２３ｂの下面に当接されてビス止めされる固定板部１３ａと、固定板部１３ａの屋外側の縁から垂設された垂設壁部１３ｂと、を有している。垂設壁部１３ｂには、屋内外方向に沿い車輪支持フレーム１２を揺動自在に支持する揺動軸１３ｃが設けられている。
【００２５】
車輪支持フレーム１２は、垂設壁部１３ｂと対面させて配置される対面壁部１２ａと、対面壁部１２ａから屋内外方向に突出させて設けられ車輪１０を回動自在に支持する車輪軸１２ｂと、を有し、固定フレーム１３に設けられた揺動軸１３ｃを中心に揺動自在に支持されている。また、車輪支持フレーム１２は、揺動軸１３ｃが挿通された捻りばね（不図示）により、車輪１０が上方向に押し上げられるように付勢されており、車輪支持フレーム１２の上部に螺合されているビス１５の螺合位置を変えて、ビス１５の車輪支持フレーム１２より上方への突出量を変更することにより、車輪１０の上下方向の位置を調整可能に構成されている。
【００２６】
補強部材１４は、固定フレーム１３の垂設壁部１３ｂに屋外側から当接されるとともに固定される補強板部１４ａ、補強板部１４ａの左右方向の両端部が屋内方向に曲げ起こされた左右の側壁部１４ｂ、補強板部１４ａの下端部及び左の側壁部１４ｂの下端部または補強板部１４ａの下端部及び右の側壁部１４ｂの下端部とが共に曲げ起こされて水平面をなす下端水平部１４ｃと、を有している。
【００２７】
補強部材１４の２つの下端水平部１４ｃには、下面から下方に垂設された回動ピン６にローラー７が回動自在にそれぞれ設けられている。すなわち、ローラー７は網戸２の移動方向において車輪１０を挟んで両側に設けられている。また、ローラー７は、車輪１０が網戸レール４１上にて支持された状態で、網戸レール４１の屋外側に配置され、網戸２が傾くことなく支持されている状態では、ローラー７と網戸レール４１との間には、屋内外方向において僅かに間隔が空けられている。ここで、本実施形態の戸車１は、補強部材１４を取り外した状態であっても、網戸２を網戸レール４１に沿って移動する戸車１ａとして使用することが可能であり、固定フレーム１３に車輪支持フレーム１２が揺動自在に設けられている形態がフレーム本体に相当する。
【００２８】
本実施形態の網戸２は、上述したように、網戸２の重心Ｇが網戸レール４１の鉛直上よりも屋外側に位置しているので、網戸２のサイズが大きい場合、或いは、幼児などの網材２ａへのいたずら等による損傷を防止するためのパネル等が取り付けられている場合など、網戸２の重量が大きい場合には、網戸２は上端側が下端側より屋外側に位置するように屋外側に傾く場合がある。このように網戸２が屋外側に傾いた場合には、図５に示すように、戸車１に設けられたローラー７が網戸レール４１に屋外側から当接するように構成されている。このため、網戸２が屋外側に傾いた状態で移動する場合には、ローラー７が網戸レール４１の屋外側の面を転動しつつ移動する。本実施形態においては、ローラー７が、戸体が屋内外方向において一方側に傾いたときに、レールに一方側から当接される当接部に相当する。
【００２９】
本実施形態の戸車１によれば、重心Ｇが網戸レール４１の鉛直上よりも屋外側に位置する網戸２が、屋内外方向において屋外側に傾いたときには、戸車１のフレーム１１に設けられているローラー７が、網戸２を支持している車輪１０の下に位置する網戸レール４１に、屋外側から当接されるので、網戸２の傾きを抑制することが可能である。このため、重心Ｇから外れた位置にて支持される網戸２であっても、網戸２の傾きを抑制することが可能な戸車１を提供することが可能である。
【００３０】
また、網戸２が傾いたときに、網戸レール４１に当接される部位を、転動するローラー７としたので、網戸レール４１に当接した状態で網戸２が移動する際にはローラー７が当接して転動し負荷を小さく抑えることが可能である。
【００３１】
また、ローラー７は、移動方向において車輪１０を挟んで両側に設けられているので、網戸２が屋外側に傾く場合であっても、網戸２が網戸レール４１と交差するようには傾かない。このため、網戸２が屋外側に傾いたとしても整然と網戸２を移動させることが可能である。
【００３２】
また、戸車１は、補強部材１４を取り外した状態であっても網戸２を網戸レール４１に沿って移動できるので、網戸２が傾く虞がない場合には、補強部材１４を取り外した状態の戸車１ａを使用することが可能である。このため、たとえば、ガラス戸５に用いる戸車１ａと、網戸２に用いる戸車１の補強部材１４を取り外した戸車１ａとを共通にできるので、汎用性が高くコストを押さえることが可能である。
【００３３】
また、補強部材１４を取り外した状態の戸車が取り付けられている網戸２等が傾斜する場合には、補強部材１４を取り付けることによりローラー７を備えることができるので、既設の建具に装着されている網戸２などの戸体が傾斜することを抑制することが可能である。
【００３４】
また、上記戸車１を備えた網戸２は、重心Ｇから外れた位置にて支持される場合であっても傾きを抑制することが可能である。
また、上記網戸２と、網戸レール４１を備えた枠体４と、を有する建具によれば、網戸２が重心Ｇから外れた位置にて支持される場合であっても、網戸２の傾きを抑制しつつ移動可能な建具３を提供することが可能である。
【００３５】
上記実施形態においては、重心が屋外側に位置して屋外側に傾く網戸２を例に挙げて説明したが、重心が位置する側は屋外側に限るものではない。また、戸体の傾きは、重心位置を原因として生じるものでなくとも構わない。
【００３６】
また、上記実施形態においては、戸車１が備える補強部材１４にローラー７が設けられている例について説明したが、これに限らず、例えば、固定フレーム１３にローラー７が設けられていても構わない。より具体的には、図７に示すように、固定フレーム１３が、垂設壁部１３ｂの左右方向の両端に左右の側壁部１３ｄと、下端水平部１３ｅと、を有し、２つの下端水平部１３ｅに垂設された回動ピン６にローラー７が回動自在にそれぞれ設けられていても構わない。
【００３７】
上記実施形態においては、戸体が傾いたときにレールに一方側から当接される当接部をローラーとしたが、これに限らず、当接部は、例えば、合成樹脂製の摺動材等であっても構わない。
上記実施形態においては、戸体を網戸２としたが、これに限らず、例えば、ガラス戸５など戸車１を使用する戸体であれば構わない。
【００３８】
上記実施形態においては、ローラー７が車輪１０を挟み網戸２の移動方向における両側に設けられている例について説明したが、これに限るものではない。例えば、ローラー７は、網戸２の移動方向において車輪１０の片側のみに設けられていても構わないし、また、三つ以上のローラー７が補強部材１４の適宜な位置に設けられていても構わない。
【００３９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４０】
１  戸車、１ａ  戸車、２  網戸、３  建具、４  枠体、７  ローラー、
１０  車輪、１１  フレーム、１２  車輪支持フレーム、１３  固定フレーム、
１４  補強部材、４１  網戸レール、Ｇ  重心、
【図１】
2019157567.tif 000003
【図２】
2019157567.tif 000004
【図３】
2019157567.tif 000005
【図４】
2019157567.tif 000006
【図５】
2019157567.tif 000007
【図６】
2019157567.tif 000008